(57)【特許請求の範囲】
【請求項１】
ＯＮ時に電源を供給し、ＯＦＦ時に電源を遮断するスイッチと、
オペレータのＯＮ／ＯＦＦ操作に応じて前記スイッチをＯＮ／ＯＦＦする第１の機構と、
入力された電気信号に応じて、前記スイッチをＯＦＦ側からＯＮ側へ変更する第２の機構と、
前記スイッチのＯＮ時に供給される前記電源の電気エネルギーを蓄電する蓄電手段と、
前記スイッチのＯＦＦ時に、前記スイッチをＯＮする時期を判断し、判断した時期に、前記蓄電手段に蓄電された電気エネルギーを用いて前記第２の機構に電気信号を入力することにより、前記スイッチをＯＮするＯＮ制御手段と、
前記スイッチのＯＦＦ時に、前記蓄電手段に蓄電された電気エネルギーが前記ＯＮ制御手段以外に供給されることを遮断する遮断手段と、
を備えたことを特徴とするスイッチ装置。
【請求項２】
ＯＮ時に電源を供給し、ＯＦＦ時に電源を遮断するスイッチと、
オペレータのＯＮ／ＯＦＦ操作に応じて前記スイッチをＯＮ／ＯＦＦする第１の機構と、
入力された電気信号に応じて、前記スイッチをＯＦＦ側からＯＮ側へ変更する第２の機構と、
入力された電気信号に応じて、前記スイッチをＯＮ側からＯＦＦ側へ変更する第３の機構と、
前記スイッチのＯＮ時に供給される前記電源の電気エネルギーを蓄電する蓄電手段と、
前記スイッチのＯＦＦ時に、前記スイッチをＯＮする時期を判断し、判断した時期に、前記蓄電手段に蓄電された電気エネルギーを用いて前記第２の機構に電気信号を入力することにより、前記スイッチをＯＮするＯＮ制御手段と、
前記スイッチのＯＦＦ時に、前記蓄電手段に蓄電された電気エネルギーが前記ＯＮ制御手段以外に供給されることを遮断する遮断手段と、
前記スイッチのＯＮ時に、前記スイッチをＯＦＦする時期を判断し、判断した時期に、前記第３の機構に電気信号を入力することにより、前記スイッチをＯＦＦするＯＦＦ制御手段と、
を備えたことを特徴とするスイッチ装置。
【請求項３】
ＯＮ時に電源を供給し、ＯＦＦ時に電源を遮断するスイッチと、
オペレータのＯＮ／ＯＦＦ操作に応じて前記スイッチをＯＮ／ＯＦＦする第１の機構と、
入力された電気信号に応じて、前記スイッチをＯＦＦ側からＯＮ側へ変更する第２の機構と、
入力された電気信号に応じて、前記スイッチをＯＮ側からＯＦＦ側へ変更する第３の機構と、
前記スイッチのＯＮ時に供給される前記電源の電気エネルギーを蓄電する蓄電手段と、
前記スイッチのＯＦＦ時に、前記スイッチをＯＮする時期を判断し、判断した時期に、前記蓄電手段に蓄電された電気エネルギーを用いて前記第２の機構に電気信号を入力することにより、前記スイッチをＯＮするＯＮ制御手段と、
前記スイッチのＯＦＦ時に、前記蓄電手段に蓄電された電気エネルギーが前記ＯＮ制御手段以外に供給されることを遮断する遮断手段と、
前記スイッチのＯＮ時に、前記スイッチをＯＦＦする時期を判断し、判断した時期に、前記電源の電気エネルギーを用いて前記第３の機構に電気信号を入力することにより、前
記スイッチをＯＦＦするＯＦＦ制御手段と、
を備えたことを特徴とするスイッチ装置。
【請求項４】
ＯＮ時に電源を供給し、ＯＦＦ時に電源を遮断するスイッチと、
オペレータのＯＮ／ＯＦＦ操作に応じて前記スイッチをＯＮ／ＯＦＦする第１の機構と、
入力された電気信号に応じて、前記スイッチをＯＦＦ側からＯＮ側へ変更する第２の機構と、
前記スイッチのＯＮ時に供給される前記電源の電気エネルギーを蓄電する蓄電手段と、
前記スイッチのＯＦＦ時に、前記スイッチをＯＮする時期を判断し、判断した時期に、前記蓄電手段に蓄電された電気エネルギーを用いて前記第２の機構に電気信号を入力することにより、前記スイッチをＯＮするＯＮ制御手段と、
前記スイッチのＯＦＦ時に、前記蓄電手段に蓄電された電気エネルギーが前記ＯＮ制御手段以外に供給されることを遮断する遮断手段と、を備え、
前記第１の機構は、オペレータがＯＮ／ＯＦＦ操作する操作部と、前記スイッチの可動部および前記操作部を連結する棒状の部材と、を含み、
前記第２の機構は、前記棒状の部材が長手方向に動作可能なように前記棒状の部材に連結されたソレノイドを含み、
前記ＯＮ制御手段は、前記ソレノイドに通電して前記棒状の部材を動作させることにより前記スイッチをＯＮすること、
を特徴とするスイッチ装置。
【請求項５】
ＯＮ時に電源を供給し、ＯＦＦ時に電源を遮断するスイッチと、
オペレータのＯＮ／ＯＦＦ操作に応じて前記スイッチをＯＮ／ＯＦＦする第１の機構と、
入力された電気信号に応じて、前記スイッチをＯＦＦ側からＯＮ側へ変更する第２の機構と、
入力された電気信号に応じて、前記スイッチをＯＮ側からＯＦＦ側へ変更する第３の機構と、
前記スイッチのＯＮ時に供給される前記電源の電気エネルギーを蓄電する蓄電手段と、
前記スイッチのＯＦＦ時に、前記スイッチをＯＮする時期を判断し、判断した時期に、前記蓄電手段に蓄電された電気エネルギーを用いて前記第２の機構に電気信号を入力することにより、前記スイッチをＯＮするＯＮ制御手段と、
前記スイッチのＯＦＦ時に、前記蓄電手段に蓄電された電気エネルギーが前記ＯＮ制御手段以外に供給されることを遮断する遮断手段と、
前記スイッチのＯＮ時に、前記スイッチをＯＦＦする時期を判断し、判断した時期に、前記第３の機構に電気信号を入力することにより、前記スイッチをＯＦＦするＯＦＦ制御手段と、を備え、
前記第１の機構は、オペレータがＯＮ／ＯＦＦ操作する操作部と、前記スイッチの可動部および前記操作部を連結する棒状の部材と、を含み、
前記第３の機構は、前記棒状の部材が長手方向に動作可能なように前記棒状の部材に連結されたソレノイドを含み、
前記ＯＦＦ制御手段は、前記ソレノイドに通電して前記棒状の部材を動作させることにより前記スイッチをＯＦＦすること、
を特徴とするスイッチ装置。
【請求項６】
前記スイッチは、通電により前記スイッチをＯＮ側からＯＦＦ側へ変更するコイルを含むリセット機能付きスイッチであり、
前記スイッチのＯＮ時に、前記スイッチをＯＦＦする時期を判断し、判断した時期に、前記コイルに通電することにより、前記スイッチをＯＦＦするＯＦＦ制御手段をさらに備えること、
を特徴とする請求項４に記載のスイッチ装置。
【請求項７】
前記蓄電手段は、キャパシタであること、
を特徴とする請求項１〜請求項６のいずれか１つに記載のスイッチ装置。
【請求項８】
前記スイッチ装置の周囲の明るさを検知する明るさ検知部をさらに備え、
前記ＯＮ制御手段において、前記スイッチをＯＮする時期を判断する条件は、前記スイッチ装置の周囲の明るさが所定の明るさ以上の状態が所定の時間以上継続した場合とし、
前記ＯＦＦ制御手段において、前記スイッチをＯＦＦする時期を判断する条件は、前記スイッチ装置の周囲の明るさが所定の明るさ以下の状態が所定の時間以上継続した場合とすること、
を特徴とする請求項２、３、５および６のいずれか１つに記載のスイッチ装置。
【請求項９】
現在日時と曜日を取得する現在日時取得部をさらに備え、
前記ＯＮ制御手段において、前記スイッチをＯＮする時期を判断する条件は、前記現在日時取得部によって取得した現在日時と曜日が所定の条件の日時や曜日となった場合とし、
前記ＯＦＦ制御手段において、前記スイッチをＯＦＦする時期を判断する条件は、前記現在日時取得部によって取得した現在日時と曜日が所定の条件の日時や曜日となった場合とし、
前記所定の時刻または所定の条件の日時や曜日の設定は、プログラマブルに任意に設定可能であること、
を特徴とする請求項２、３、５および６のいずれか１つに記載のスイッチ装置。
【請求項１０】
請求項１〜請求項９のいずれか１つに記載のスイッチ装置を備えた、画像形成装置、電気機器、医療機器、工作機械、自動車、および、輸送機器のいずれかである機器。
【発明の詳細な説明】
【技術分野】
【０００１】
本発明は、電源の供給と遮断、あるいは、電気信号の通電と遮断をするスイッチ装置にかかわる技術である。また、該スイッチ装置を備えたシステムや機器に関する技術である。さらに詳細には、電気信号や電源がＯＦＦされているスイッチに対して、外部からの制御で、スイッチ操作部をスイッチＯＮしている時に蓄電手段に蓄えられた電気エネルギーからの電気信号の入力によってＯＮ操作して、電気信号の通電や電源の供給を再開させる技術である。
【背景技術】
【０００２】
従来のスイッチの一般的な使用方法としては、スイッチの操作者の操作やスイッチ操作部へ外力を加えることによってＯＮ／ＯＦＦ操作を行う使用方法がある。少し変わった使用方法としては、スイッチメーカ各社から発売されている‘リセット機能付きスイッチ’を用いる方法がある。この方法では、スイッチのＯＮ時は、接続ユニットに電源を供給する。また、この方法では、機器の使用者のスイッチＯＦＦ操作でスイッチをＯＦＦしても良いし、接続ユニットによってＯＦＦ条件を判断して、ＯＦＦを実行する場合は、リセット機能付きスイッチ内蔵のコイルに通電してスイッチの操作部をＯＮ側からＯＦＦ側へ電気制御によって変更する。
【０００３】
このような使用方法は実際に複写機等で使用されている。例えば、通常のスイッチＯＮで複写機を使用していて、周囲の明るさが、一定時間以上暗い状態が持続した場合に、複写機を強制的に電源ＯＦＦとして無駄電力の消費を低減している。このようなスイッチ装置やスイッチ装置を搭載した機器はアプライアンス性に優れていて便利である。このようなリセット機能付きスイッチの技術では、スイッチのＯＦＦを電気信号によって制御できることが優れている。
【発明の概要】
【発明が解決しようとする課題】
【０００４】
しかしながら、従来の技術では、スイッチのＯＦＦ→ＯＮを電気信号によって制御できるわけではない。スイッチのＯＦＦ時は接続ユニットへの電源が遮断されていて、ＯＮ判断やＯＮ実行のエネルギーがないことも、スイッチのＯＦＦ→ＯＮを電気信号によって制御することを難しくしている。またこのようなことができるスイッチも現状存在していない。
【０００５】
リレー等の部品を組み合わせれば、類似の機能を達成できる装置も考えられる。しかし、リレーでは接点ＯＮの保持には励磁電流を流し続けなくてはならないので、省エネの観点から不利である。また、リレーで接点制御した場合、スイッチの操作者がスイッチのＯＮ／ＯＦＦを直接実行することはできない。操作者は間接的なスイッチを操作して、そのスイッチの状態を検知してリレーを制御することになる。
【０００６】
本発明は、上記に鑑みてなされたものであって、（１）スイッチＯＦＦによって電源供給が遮断されているスイッチ外部ユニットからの電気制御でスイッチをＯＮできるスイッチ装置を提供すること、（２）スイッチのＯＮ／ＯＦＦはスイッチ操作者によっていつでも任意の操作ができるスイッチ装置を提供することを目的とする。
【課題を解決するための手段】
【０００７】
上述した課題を解決し、目的を達成するために、本発明は、ＯＮ時に電源を供給し、ＯＦＦ時に電源を遮断するスイッチと、オペレータのＯＮ／ＯＦＦ操作に応じて前記スイッチをＯＮ／ＯＦＦする第１の機構と、入力された電気信号に応じて、前記スイッチをＯＦＦ側からＯＮ側へ変更する第２の機構と、前記スイッチのＯＮ時に供給される前記電源の電気エネルギーを蓄電する蓄電手段と、前記スイッチのＯＦＦ時に、前記スイッチをＯＮする時期を判断し、判断した時期に、前記蓄電手段に蓄電された電気エネルギーを用いて前記第２の機構に電気信号を入力することにより、前記スイッチをＯＮするＯＮ制御手段と、前記スイッチのＯＦＦ時に、前記電源から前記ＯＮ制御手段へのエネルギー供給を遮断する遮断手段と、を備えたことを特徴とする。
【０００８】
また、本発明は、ＯＮ時に電源を供給し、ＯＦＦ時に電源を遮断するスイッチと、オペレータのＯＮ／ＯＦＦ操作に応じて前記スイッチをＯＮ／ＯＦＦする第１の機構と、入力された電気信号に応じて、前記スイッチをＯＦＦ側からＯＮ側へ変更する第２の機構と、入力された電気信号に応じて、前記スイッチをＯＮ側からＯＦＦ側へ変更する第３の機構と、前記スイッチのＯＮ時に供給される前記電源の電気エネルギーを蓄電する蓄電手段と、前記スイッチのＯＦＦ時に、前記スイッチをＯＮする時期を判断し、判断した時期に、前記蓄電手段に蓄電された電気エネルギーを用いて前記第２の機構に電気信号を入力することにより、前記スイッチをＯＮするＯＮ制御手段と、前記スイッチのＯＦＦ時に、前記電源から前記ＯＮ制御手段へのエネルギー供給を遮断する遮断手段と、前記スイッチのＯＮ時に、前記スイッチをＯＦＦする時期を判断し、判断した時期に、前記第３の機構に電気信号を入力することにより、前記スイッチをＯＦＦするＯＦＦ制御手段と、を備えたことを特徴とする。
【０００９】
また、本発明は、ＯＮ時に電源を供給し、ＯＦＦ時に電源を遮断するスイッチと、オペレータのＯＮ／ＯＦＦ操作に応じて前記スイッチをＯＮ／ＯＦＦする第１の機構と、入力された電気信号に応じて、前記スイッチをＯＦＦ側からＯＮ側へ変更する第２の機構と、入力された電気信号に応じて、前記スイッチをＯＮ側からＯＦＦ側へ変更する第３の機構と、前記スイッチのＯＮ時に供給される前記電源の電気エネルギーを蓄電する蓄電手段と、前記スイッチのＯＦＦ時に、前記スイッチをＯＮする時期を判断し、判断した時期に、前記蓄電手段に蓄電された電気エネルギーを用いて前記第２の機構に電気信号を入力することにより、前記スイッチをＯＮするＯＮ制御手段と、前記スイッチのＯＦＦ時に、前記電源から前記ＯＮ制御手段へのエネルギー供給を遮断する遮断手段と、前記スイッチのＯＮ時に、前記スイッチをＯＦＦする時期を判断し、判断した時期に、前記電源の電気エネルギーを用いて前記第３の機構に電気信号を入力することにより、前記スイッチをＯＦＦするＯＦＦ制御手段と、を備えたことを特徴とする。
【発明の効果】
【００１０】
本発明によれば、（１）スイッチＯＦＦによって電源供給が遮断されているスイッチ外部ユニットからの電気制御でスイッチをＯＮできる、（２）スイッチのＯＮ／ＯＦＦはスイッチ操作者によっていつでも任意の操作ができるという効果を奏する。
【図面の簡単な説明】
【００１１】
【図１】図１は、第１の実施形態のスイッチ装置の構成例を説明するための図である。
【図２】図２は、第１の実施形態のスイッチ装置の構成例を説明するための図である。
【図３】図３は、第２の実施形態のスイッチ装置の構成例を説明するための図である。
【図４】図４は、第２の実施形態のスイッチ装置の構成例を説明するための図である。
【図５】図５は、第３の実施形態のスイッチ装置の構成例を説明するための図である。
【図６】図６は、第３の実施形態のスイッチ装置の構成例を説明するための図である。
【図７】図７は、第４の実施形態のスイッチ装置の構成例を説明するための図である。
【図８】図８は、第４の実施形態のスイッチ装置の構成例を説明するための図である。
【図９】図９は、第５の実施形態のスイッチ装置の構成例を説明するための図である。
【図１０】図１０は、第５の実施形態のスイッチ装置の構成例を説明するための図である。
【発明を実施するための形態】
【００１２】
以下に添付図面を参照して、この発明にかかるスイッチ装置の一実施形態を詳細に説明する。
【００１３】
（第１の実施形態）
図１は、第１の実施形態のスイッチ装置の構成例を説明するための図である。図１に示すように、本実施形態のスイッチは、電源スイッチ１０と、操作部１３と、棒状の部材１４と、スイッチＯＮソレノイド１５と、スイッチＯＦＦソレノイド１６と、機器制御部１７と、ＤＣ５Ｖ変換電源２０と、キャパシタ２１と、電源スイッチＯＮ制御部２２と、ダイオード２３と、を備えている。機器制御部１７は、電源スイッチＯＦＦ制御部１８と、各種装置・機器・機械等制御部１９とを備えている。
【００１４】
電源スイッチ１０は破線で示されるユニットで示されている。接点開路１１は、商用ＡＣ電源に接続されている。接点開路１１の接続先は、商用ＡＣ電源とは別のバッテリ等の電源でも良い。また、電源スイッチ１０の可動部１２は、上部に孔が開いていて、離れた場所に設置してある操作部１３と棒状の部材１４により連結されている。操作部１３は、オペレータがスイッチのＯＮ／ＯＦＦ操作する部分である。操作部１３の上部にも孔が開いている。棒状の部材１４は、略水平に配置され、略水平方向に可動するスイッチＯＮソレノイド１５（ソレノイド通電で右方向動作）およびスイッチＯＦＦソレノイド１６（ソレノイド通電で左方向動作）に接続されている。棒状の部材１４は、いずれか一方のソレノイド通電によって、左右方向への動作が可能である。この動作に同期して、電源スイッチ１０の可動部１２と操作部１３も図示してある小さい黒丸を中心として回動する。また、ソレノイド通電されてない場合は、操作部１３を操作することで、棒状の部材１４は左右方向に自由に動作可能で、電源スイッチ１０の可動部１２を図示してある小さい黒丸を中心として回動させることができる。
【００１５】
電源スイッチ１０の接点開路１１を介した電源は、ＤＣ５Ｖ変換電源２０と、画像形成装置・電気機器・医療機器・工作機械・自動車・輸送機器等２００に接続されている。従って、電源スイッチ１０の接点開路１１のＯＦＦ（開）状態では、電源のエネルギー消費はない。
【００１６】
ＤＣ５Ｖ変換電源２０は、商用ＡＣ電源やバッテリ等の電源からＤＣ５Ｖの電圧を生成して出力する。そして、ＤＣ５Ｖ変換電源２０は、スイッチのＯＮ／ＯＦＦ制御や各種機器を制御するための制御部を動作させるための電源を供給する。同電源供給は２系統に分かれている。
【００１７】
第１の系統は、電源スイッチＯＦＦ制御部１８および各種装置・機器・機械等制御部１９へ直接供給される。従って、電源スイッチ１０の接点開路１１のＯＦＦ（開）状態では、電源スイッチＯＦＦ制御部１８および各種装置・機器・機械等制御部１９の動作は停止して、消費電力もゼロである。
【００１８】
第２の系統は、ダイオード２３（順方向）を介して、蓄電手段であるキャパシタ２１および電源スイッチＯＮ制御部２２に接続されている。従って、電源スイッチ１０の接点開路１１のＯＦＦ（開）状態では、電源スイッチＯＮ制御部２２は、電源からの供給エネルギーはゼロであるが、充電されたキャパシタ２１からのエネルギーで動作することが可能である。また、この場合、ダイオード２３は、充電されたキャパシタ２１のエネルギーが出力を停止したＤＣ５Ｖ変換電源２０や電源スイッチＯＦＦ制御部１８および各種装置・機器・機械等制御部１９で無駄に消費されるのを防止している（遮断手段）。
【００１９】
電源スイッチＯＮ制御部２２および電源スイッチＯＦＦ制御部１８は、必要最小限の構成として、省電力ＣＰＵを選択する等、消費電力が極微小となるような設計とするのが好ましい。
【００２０】
図２は、接点開路１１がＯＮ（閉）状態の場合のスイッチ装置の例を説明するための図である。
【００２１】
電源スイッチ１０の接点開路１１のＯＮ（閉）状態では、電源スイッチＯＦＦ制御部１８および各種装置・機器・機械等制御部１９は動作していて、電源スイッチ１０をしかる後にＯＦＦする時期を判断しながら、画像形成装置・電気機器・医療機器・工作機械・自動車・輸送機器等２００に制御信号を出力してこれらの機器を制御している。
【００２２】
電源スイッチ１０の接点開路１１のＯＦＦ（開）状態（図１）では、電源スイッチＯＮ制御部２２は、キャパシタ２１からのエネルギー供給で動作していて、電源スイッチ１０をしかる後にＯＮする時期を判断している。この時、キャパシタ２１から出力を停止したＤＣ５Ｖ変換電源２０や電源スイッチＯＦＦ制御部１８および各種装置・機器・機械等制御部１９への電流が流れて無駄なエネルギー消費されることは、ダイオード２３によって防止されている。
【００２３】
電源スイッチＯＦＦ制御部１８と電源スイッチＯＮ制御部２２とは、画像形成装置・電気機器・医療機器・工作機械・自動車・輸送機器等２００の電源スイッチのＯＮ／ＯＦＦ指示、明るさ、音、日時、人体有無、および機械操作等の情報が入力されるように構成されている。
【００２４】
具体的な判断手法としては、例えば、以下のようなものが考えられる。スイッチ装置の外部にスイッチ装置の周囲の明るさを検知する照度センサを設ける。電源スイッチＯＮ制御部２２は、スイッチ装置の周囲の明るさが所定の明るさ以上の状態が所定の時間以上継続した場合を、電源スイッチ１０をＯＮする時期を判断する条件とする。また、電源スイッチＯＦＦ制御部１８は、スイッチ装置の周囲の明るさが所定の明るさ以下の状態が所定の時間以上継続した場合を、電源スイッチ１０をＯＦＦする時期を判断する条件とする。
【００２５】
スイッチ装置の外部にスイッチ装置の周囲の音量を検知する音量検知部を設ける。電源スイッチＯＮ制御部２２は、電源スイッチ１０の周囲の音量が所定の音量以上の状態が所定の時間以上継続した場合を、電源スイッチ１０をＯＮする時期を判断する条件とする。また、電源スイッチＯＦＦ制御部１８は、スイッチ装置の周囲の音量が所定の音量以下の状態が所定の時間以上継続した場合を、電源スイッチ１０をＯＦＦする時期を判断する条件とする。
【００２６】
スイッチ装置の外部に、スイッチ装置の周囲の人体の存在を検知する人感センサを設ける。電源スイッチＯＮ制御部２２は、スイッチ装置の周囲の人体の存在を検知できた場合を、電源スイッチ１０をＯＮする時期を判断する条件とする。また、電源スイッチＯＦＦ制御部１８は、スイッチ装置の周囲の人体の存在を検知できなくなった状態が所定の時間以上継続した場合を、電源スイッチ１０をＯＦＦする時期を判断する条件とする。
【００２７】
スイッチ装置の外部に、現在時刻を取得する現在時刻取得部を設ける。電源スイッチＯＮ制御部２２は、現在時刻取得部によって取得した現在時刻が所定の時刻となった場合を、電源スイッチ１０をＯＮする時期を判断する条件とする。また、電源スイッチＯＦＦ制御部１８は、現在時刻取得部によって取得した現在時刻が所定の時刻となった場合を、電源スイッチ１０をＯＦＦする時期を判断する条件とする。
【００２８】
スイッチ装置の外部に、スイッチ装置を備えたスイッチ装置機器が操作されていない時間またはスイッチ装置機器が動作していない時間を認識する認識部を設ける。電源スイッチＯＦＦ制御部１８は、スイッチ装置機器が操作されていない時間またはスイッチ装置機器が動作していない時間が所定の時間以上継続した場合を、電源スイッチ１０をＯＦＦする時期を判断する条件とする。
【００２９】
スイッチ装置の外部に、スイッチ装置機器の操作またはスイッチ装置機器の動作を検知する動作検知部と、一定時間内におけるスイッチ装置機器の操作またはスイッチ装置機器の動作の頻度を判断する判断部とを設ける。電源スイッチＯＦＦ制御部１８は、頻度が所定の頻度以下となった場合を、電源スイッチ１０をＯＦＦする時期を判断する条件とする。
【００３０】
スイッチ装置の外部に、現在日時と曜日を取得する現在日時取得部を設ける。電源スイッチＯＮ制御部２２は、現在日時取得部によって取得した現在日時と曜日が所定の条件の日時や曜日となった場合を、電源スイッチ１０をＯＮする時期を判断する条件とする。また、電源スイッチＯＦＦ制御部１８は、現在日時取得部によって取得した現在日時と曜日が所定の条件の日時や曜日となった場合を、電源スイッチ１０をＯＦＦする時期を判断する条件とする。
【００３１】
なお、これらの所定の時刻または所定の条件の日時や曜日の設定は、プログラマブルに任意に設定可能に構成することができる。
【００３２】
電源スイッチ１０のＯＦＦは、電源スイッチＯＦＦ制御部１８からスイッチＯＦＦソレノイド１６へコイル通電信号を出力してスイッチＯＦＦソレノイド１６を左側に動作させることにより行う。図１は、スイッチＯＦＦソレノイド１６が左側に動作した状態を示す。
【００３３】
電源スイッチ１０のＯＮは、電源スイッチＯＮ制御部２２からスイッチＯＮソレノイド１５へコイル通電信号を出力してスイッチＯＮソレノイド１５を右側に動作させることにより行う。図２は、スイッチＯＮソレノイド１５が右側に動作した状態を示す。
【００３４】
スイッチＯＦＦソレノイド１６とスイッチＯＮソレノイド１５へのコイル通電時間は、ソレノイドの動作が完了するまでの時間として、操作部１３の位置は、電源スイッチ１０自体のクリック感で維持すると良い。すなわち、電源スイッチ１０がＯＮ側またはＯＦＦ側で安定しようとする力に応じて、操作部１３が、ＯＮ側およびＯＦＦ側のいずれかに対応する位置に維持されるように構成すれば良い。
【００３５】
図１は、スイッチ装置のＯＦＦ状態を示し、図２はスイッチ装置のＯＮ状態を示す。図１は、オペレータがスイッチ装置をＯＦＦ操作した後の状態、または、電源スイッチＯＦＦ制御部１８からスイッチ装置がＯＦＦ制御された後の状態を示す。図２に比べて、棒状の部材１４は左側に位置して、操作部１３と電源スイッチ１０の可動部１２は反時計方向に回動している。
【００３６】
図２は、オペレータがスイッチ装置をＯＮ操作した後の状態、または、電源スイッチＯＮ制御部２２からスイッチ装置がＯＮ制御された後の状態を示す。図１に比べて、棒状の部材１４は右側に位置して、操作部１３と電源スイッチ１０の可動部１２は時計方向に回動している。
【００３７】
（第２の実施形態）
図３および図４は、第２の実施形態のスイッチ装置の構成例を説明するための図である。図３は、スイッチ装置のＯＦＦ状態を示し、図４はスイッチ装置のＯＮ状態を示す。図１と同一あるいは同等の部分の説明は適宜省略する。後に説明する各図についても同様である。
【００３８】
図３および図４に示す第２の実施形態と図１に示す第１の実施形態との違いは、電源スイッチ１０−２をリセット機能付きスイッチとして、第１の実施形態で電源スイッチ１０のＯＦＦ制御のために備えてあったスイッチＯＦＦソレノイド１６の機能をリセット機能付きスイッチで代用した点である。
【００３９】
図１の第１の実施形態では、電源スイッチＯＦＦ制御部１８からスイッチＯＦＦソレノイド１６へコイル通電信号を出力してスイッチＯＦＦソレノイド１６を左側に動作させて電源スイッチ１０をＯＦＦしていた。図３に示す第２の実施形態では、機器制御部１７−２内の電源スイッチＯＦＦ制御部１８−２からリセット機能付きスイッチである電源スイッチ１０−２のコイルへコイル通電信号を出力して電源スイッチ１０−２をリセット（ＯＦＦ）動作させる。電源スイッチ１０−２がＯＮの時に電源スイッチ１０−２の内部に設定されたコイルに電流を流すと、電源スイッチ１０−２の可動部１２がＯＦＦ（左）側に動作すると共に接点開路１１もＯＦＦ（開）状態となる。
【００４０】
図３では、コイルに電流を流すと大きい黒丸部分がコイルに近づいて、電源スイッチ１０−２がＯＦＦになる様子をイメージ図として示してある。
【００４１】
第２の実施形態で示すリセット機能付きスイッチは、例えば、パナソニック電工（Ｒ）製のＡＪ８Ｒシリーズ、ヒロセ電機（Ｒ）製のＲＳ３シリーズ、および、オムロン株式会社（Ｒ）製のＡ８Ｇシリーズ等の製品で可動部１２を変形すれば良い。
【００４２】
また、本願の発明者が２０１０年１２月１５日に出願済みの特願２０１０-２７９９０７（未公開）に記載のスイッチ装置を、リセット機能付きスイッチとして本実施形態に適用することも可能である。
【００４３】
（第３の実施形態）
図５および図６は、第３の実施形態のスイッチ装置の構成例を説明するための図である。図５は、スイッチ装置のＯＦＦ状態を示し、図６はスイッチ装置のＯＮ状態を示す。図５および図６に示す第３の実施形態と、図３および図４に示す第２の実施形態との違いは、電源スイッチＯＮ制御部２２へのＤＣ５Ｖの供給／遮断の切り換えが可能なスイッチ２４−３（切換手段）を備える点である。スイッチ２４−３は、機器制御部１７−３内の電源スイッチＯＦＦ制御部１８−３によってＯＮ／ＯＦＦ制御される。スイッチ２４−３としては、ラッチングリレーを用いると一般のリレーのように常時消費電力が発生しないので、省エネの観点から好ましい。
【００４４】
電源スイッチ１０−２のＯＮによって、電源スイッチＯＦＦ制御部１８−３および各種装置・機器・機械等制御部１９にＤＣ５Ｖ電源が供給されたら、各制御部の動作を開始すると共に、その制御の初期で、スイッチ２４−３をＯＦＦ制御する。なぜならば当分は、電源スイッチＯＮ制御部２２でしかる後にＯＮする時期を判断する必要がないからである。
【００４５】
スイッチ２４−３によって、電源スイッチＯＮ制御部２２へのＤＣ５Ｖ給電を必要な時だけ実施して無駄なエネルギー消費を抑えることができる。
【００４６】
電源スイッチＯＦＦ制御部１８−３によって、電源スイッチ１０−２のＯＦＦ制御をする場合は、その前に電源スイッチＯＦＦ制御部１８−３から、スイッチ２４−３をＯＮ制御する。なぜならば、電源スイッチ１０−２のＯＦＦ制御後は、電源スイッチＯＮ制御部２２でしかる後にＯＮする時期を判断しつづける必要があるからである。
【００４７】
スイッチ２４−３をＯＮ制御した後に、現在日時と次回ＯＮ制御予定条件の情報を電源スイッチＯＦＦ制御部１８−３から電源スイッチＯＮ制御部２２に伝送する仕組みとすれば、電源スイッチＯＮ制御部２２は、必要最小限の構成として、消費電力を低減することができる。情報の伝送後に電源スイッチＯＦＦ制御部１８−３によって、電源スイッチ１０−２のＯＦＦ制御をする。
【００４８】
第３の実施形態の場合、オペレータがスイッチ装置をＯＦＦ操作した場合は、スイッチ２４−３をＯＮ制御することができないので、電源スイッチＯＮ制御部２２は、しかる後にＯＮする時期を判断ができない。このような場合は使い勝手で不便さが生じる。
【００４９】
そこで、第３の実施形態（第４の実施形態および第５の実施形態も同様）のスイッチ装置を画像形成装置・電気機器・医療機器・工作機械・自動車・輸送機器等２００に搭載する場合は、オペレータによるスイッチ装置のＯＦＦ操作は緊急的電源遮断の操作とし、通常は、各種機器に入力される電源スイッチ１０−２のＯＦＦ指示の情報で、電源スイッチＯＦＦ制御部１８−３によって、電源スイッチ１０−２のＯＦＦ制御をするようにすると良い。
【００５０】
（第４の実施形態）
図７および図８は、第４の実施形態のスイッチ装置の構成例を説明するための図である。図７は、スイッチ装置のＯＦＦ状態を示し、図８はスイッチ装置のＯＮ状態を示す。図７および図８に示す第４の実施形態と図５および図６に示す第３の実施形態の違いは、機器制御部１７−４内のスイッチ２４−３のＯＦＦ制御は、電源スイッチＯＦＦ制御部１８−４によって制御され、スイッチ２４−３のＯＮ制御は電源スイッチＯＮ制御部２２−４によって制御される点である。
【００５１】
電源スイッチ１０−２のＯＮによって、電源スイッチＯＦＦ制御部１８−４および各種装置・機器・機械等制御部１９にＤＣ５Ｖ電源が供給されたら、各制御部の動作を開始すると共に、その情報は電源スイッチＯＮ制御部２２−４へ伝達される。情報を受信した電源スイッチＯＮ制御部２２−４は、スイッチ２４−３をＯＦＦ制御する。
【００５２】
（第５の実施形態）
図９および図１０は、第５の実施形態のスイッチ装置の構成例を説明するための図である。図９は、スイッチ装置のＯＦＦ状態を示し、図１０はスイッチ装置のＯＮ状態を示す。図９および図１０に示す第５の実施形態と図７および図８に示す第４の実施形態の違いは以下の通りである。まず、電源スイッチＯＮ制御部２２−５は、電源スイッチ１０−２のＯＮによって、電源スイッチＯＦＦ制御部１８−４および各種装置・機器・機械等制御部１９にＤＣ５Ｖ電源が供給されたことを検知する。供給を検知した電源スイッチＯＮ制御部２２−５は、スイッチ２４−３をＯＦＦ制御する。
【００５３】
以上のように、上記実施形態のスイッチ装置では、スイッチＯＦＦ時は電源スイッチＯＮ制御部への電源からのエネルギー供給は行わない回路構成であるので、スイッチＯＦＦ時に電源の出力を停止することができ省エネルギーに貢献することができる。電源の動作を完全に停止することができる。
【００５４】
そして、スイッチのＯＦＦ時にスイッチをしかる後にＯＮする時期を判断する電源スイッチＯＮ制御部へは、スイッチのＯＮ時に供給される電源の電気エネルギーを蓄電する蓄電手段やバッテリから供給する構成とする。これにより、スイッチの操作部をＯＦＦ側からＯＮ側へ電気信号の入力によって変更できる第２の機構によって、電源のＯＦＦ（出力停止）状態からＯＮ（出力）状態に変更することができる。すなわち、電源がＯＦＦしていても外部からの制御で電源をＯＮに制御できるスイッチ装置を提供することができる。
【００５５】
さらに、電源スイッチＯＮ制御部による判断結果からスイッチをＯＦＦ側からＯＮ側へ変更する場合の電気エネルギーは蓄電手段から供給する。このため、必要最低限のエネルギーを蓄電手段に蓄電して、スイッチをＯＦＦ側からＯＮ側へ変更できるので、省エネルギーに優れたスイッチ装置を提供することができる。
【００５６】
スイッチ装置は、さらに、スイッチの操作部をＯＮ側からＯＦＦ側へ電気信号の入力によって変更できる第３の機構と、スイッチのＯＮ時にスイッチをしかる後にＯＦＦする時期を判断する電源スイッチＯＦＦ制御部とを備えている。このため、スイッチのＯＮ時にもスイッチの操作部をＯＮ側からＯＦＦ側へ制御することができる。すなわち、上記実施形態のスイッチ装置を備えた各種装置や機器を停止させることができ、省エネルギーに優れたスイッチ装置を提供することができる。
【００５７】
スイッチ装置は、さらに、電源スイッチＯＦＦ制御部による判断結果からスイッチをＯＮ側からＯＦＦ側へ変更する場合の電気エネルギーは電源から供給する。このため、スイッチのＯＮ時に電源から供給されているエネルギーを有効利用することで、シンプルな構成で、または、安いコストでスイッチ装置を提供することができる。
【００５８】
スイッチ装置は、さらに、スイッチの操作部とオペレータがＯＮ／ＯＦＦ操作する操作部は別々で離れた場所に位置し、両部分は棒状の部材で連結されている。このため、シンプルな構成で、または、安いコストでスイッチ装置を提供することができる。
【００５９】
スイッチ装置は、さらに、棒状の部材が長手方向に動作可能なように連結されたソレノイドに通電させることによって、棒状の部材を動作させる。このため、シンプルな構成で、または、安いコストでスイッチ装置を提供することができる。
【００６０】
スイッチ装置は、さらに、通電されたソレノイドの動作が完了したら、または、動作が完了すると予想される時間で、ソレノイド通電をＯＦＦ制御するので、無駄な消費電力を削減でき、省エネルギーに優れたスイッチ装置を提供することができる。
【００６１】
スイッチ装置は、さらに、スイッチ装置のＯＮ状態とスイッチ装置のＯＦＦ状態の位置はスイッチ本体（スイッチ接点や接続端子やスイッチ操作部が含まれるスイッチユニット）のクリック感で維持されるので、特別なスイッチの位置状態保持の仕組みが不要で、シンプルな構成で、または、安いコストでスイッチ装置を提供することができる。
【００６２】
スイッチ装置は、さらに、電源スイッチＯＮ制御部は、蓄電手段から電源供給されるＣＰＵで構成され、電源スイッチＯＦＦ制御部は、スイッチのＯＮ時のみに出力される直流から電源供給されるＣＰＵで構成される。このため、スイッチのＯＦＦ時には電源の出力を停止することができ、省エネルギーに貢献することができると共に、シンプルな構成で、または、安いコストでスイッチ装置を提供することができる。
【００６３】
スイッチ装置は、さらに、スイッチ装置システム全体としてのスイッチのＯＮ⇔ＯＦＦ変更による部品移動の位置エネルギーの変化が略ゼロである。このため、スイッチのＯＮ⇔ＯＦＦの動作に必要なエネルギーは必要最小限で済み、無駄な消費電力を削減でき、省エネルギーに優れたスイッチ装置を提供することができる。
【００６４】
スイッチ装置は、さらに、棒状の部材が略水平に配置されているので、シンプルな構成で、または、安いコストでスイッチ装置を提供することができる。
【００６５】
スイッチ装置は、さらに、ソレノイドの可動方向は略水平に配置されているので、シンプルな構成で、または、安いコストでスイッチ装置を提供することができる。
【００６６】
スイッチ装置は、さらに、蓄電手段がキャパシタ２１であるので、充放電特性に優れた蓄電手段を使用することによって、省エネルギーに優れたスイッチ装置を提供することができる。
【００６７】
スイッチ装置は、さらに、電源スイッチＯＮ制御部への電源の供給／遮断の切り換えが可能なスイッチを備え、必要に応じて電源スイッチＯＮ制御部への電源の供給／遮断を制御できる。このため、省エネルギーに優れたスイッチ装置を提供することができる。
【００６８】
スイッチ装置は、さらに、電源スイッチＯＦＦ制御部が制御開始したことを検知する手段、または、電源スイッチＯＦＦ制御部に電源供給されたことを検知する手段を備える。このため、シンプルな構成で、または、安いコストでスイッチ装置を提供することができる。
【００６９】
スイッチ装置は、さらに、電源スイッチＯＮ制御部への電源の供給／遮断の切り換えが可能なスイッチを電源スイッチＯＦＦ制御部でＯＮ制御してから、現在日時と次回ＯＮ制御予定条件の情報を電源スイッチＯＦＦ制御部から電源スイッチＯＮ制御部へ伝送する。このため、電源スイッチＯＮ制御部の構成はシンプルで小型化が可能で、スイッチのＯＮ時には電源の供給が不要で、省エネルギーに貢献することができると共に、シンプルな構成で、または、安いコストでスイッチ装置を提供することができる。
【００７０】
スイッチ装置は、さらに、スイッチのＯＮ／ＯＦＦ制御を実施する判断条件を以下の（１）〜（１４）のような条件とする。このため、様々な条件で、スイッチ装置のＯＮ／ＯＦＦ制御が可能であり、より便利なスイッチ装置を提供することができる。
（１）スイッチのＯＮ制御をスイッチのＯＦＦ→ＯＮ指示で判断。
（２）スイッチのＯＦＦ制御をスイッチのＯＮ→ＯＦＦ指示で判断。
（３）スイッチのＯＮ制御を明るさで判断。
（４）スイッチのＯＦＦ制御を暗さで判断。
（５）スイッチのＯＮ制御を音で判断。
（６）スイッチのＯＦＦ制御を音で判断。
（７）スイッチのＯＮ制御を人体で判断。
（８）スイッチのＯＦＦ制御を人体で判断。
（９）スイッチのＯＮ制御を時計で判断。
（１０）スイッチのＯＦＦ制御を時計で判断。
（１１）スイッチのＯＦＦ制御をカレンダで判断。
（１２）スイッチのＯＮ制御をカレンダで判断。
（１３）スイッチのＯＦＦ制御を操作や動作で判断。
（１４）スイッチのＯＦＦ制御を操作頻度で判断。
【００７１】
スイッチ装置は、さらに、所定の時刻または所定の条件の日時や曜日の設定は、プログラマブルに任意に設定可能であるので、より便利なスイッチ装置を提供することができる。
【００７２】
また、上記実施形態では、商用ＡＣ電源をＯＮ／ＯＦＦするスイッチ装置を例として説明したが、これに限定されるものではない。例えば、上記各実施形態のスイッチ装置を、バッテリ搭載機器の自動車や輸送機器、画像形成装置、電気機器、工作機械、医療機器等へ適用することも可能である。このように、スイッチ装置は、各種装置や機器に適用できるため、より便利な各種装置や機器を提供することができる。
【００７３】
（構成例１）
ＯＮ時に電源を供給し、ＯＦＦ時に電源を遮断するスイッチと、
オペレータのＯＮ／ＯＦＦ操作に応じて前記スイッチをＯＮ／ＯＦＦする第１の機構と、
入力された電気信号に応じて、前記スイッチをＯＦＦ側からＯＮ側へ変更する第２の機構と、
前記スイッチのＯＮ時に供給される前記電源の電気エネルギーを蓄電する蓄電手段と、
前記スイッチのＯＦＦ時に、前記スイッチをＯＮする時期を判断し、判断した時期に、前記蓄電手段に蓄電された電気エネルギーを用いて前記第２の機構に電気信号を入力することにより、前記スイッチをＯＮするＯＮ制御手段と、
前記スイッチのＯＦＦ時に、前記電源から前記ＯＮ制御手段へのエネルギー供給を遮断する遮断手段と、
を備えたことを特徴とするスイッチ装置。
（構成例２）
ＯＮ時に電源を供給し、ＯＦＦ時に電源を遮断するスイッチと、
オペレータのＯＮ／ＯＦＦ操作に応じて前記スイッチをＯＮ／ＯＦＦする第１の機構と、
入力された電気信号に応じて、前記スイッチをＯＦＦ側からＯＮ側へ変更する第２の機構と、
入力された電気信号に応じて、前記スイッチをＯＮ側からＯＦＦ側へ変更する第３の機構と、
前記スイッチのＯＮ時に供給される前記電源の電気エネルギーを蓄電する蓄電手段と、
前記スイッチのＯＦＦ時に、前記スイッチをＯＮする時期を判断し、判断した時期に、前記蓄電手段に蓄電された電気エネルギーを用いて前記第２の機構に電気信号を入力することにより、前記スイッチをＯＮするＯＮ制御手段と、
前記スイッチのＯＦＦ時に、前記電源から前記ＯＮ制御手段へのエネルギー供給を遮断する遮断手段と、
前記スイッチのＯＮ時に、前記スイッチをＯＦＦする時期を判断し、判断した時期に、前記第３の機構に電気信号を入力することにより、前記スイッチをＯＦＦするＯＦＦ制御手段と、
を備えたことを特徴とするスイッチ装置。
（構成例３）
ＯＮ時に電源を供給し、ＯＦＦ時に電源を遮断するスイッチと、
オペレータのＯＮ／ＯＦＦ操作に応じて前記スイッチをＯＮ／ＯＦＦする第１の機構と、
入力された電気信号に応じて、前記スイッチをＯＦＦ側からＯＮ側へ変更する第２の機構と、
入力された電気信号に応じて、前記スイッチをＯＮ側からＯＦＦ側へ変更する第３の機構と、
前記スイッチのＯＮ時に供給される前記電源の電気エネルギーを蓄電する蓄電手段と、
前記スイッチのＯＦＦ時に、前記スイッチをＯＮする時期を判断し、判断した時期に、前記蓄電手段に蓄電された電気エネルギーを用いて前記第２の機構に電気信号を入力することにより、前記スイッチをＯＮするＯＮ制御手段と、
前記スイッチのＯＦＦ時に、前記電源から前記ＯＮ制御手段へのエネルギー供給を遮断する遮断手段と、
前記スイッチのＯＮ時に、前記スイッチをＯＦＦする時期を判断し、判断した時期に、前記電源の電気エネルギーを用いて前記第３の機構に電気信号を入力することにより、前記スイッチをＯＦＦするＯＦＦ制御手段と、
を備えたことを特徴とするスイッチ装置。
（構成例４）
前記第１の機構は、オペレータがＯＮ／ＯＦＦ操作する操作部と、前記スイッチの可動部および前記操作部を連結する棒状の部材と、を含み、
オペレータのＯＮ／ＯＦＦ操作に応じて、前記棒状の部材が長手方向に動作して、前記スイッチの可動部がＯＮ／ＯＦＦされ、
前記第２の機構による前記スイッチの可動部のＯＦＦ側からＯＮ側への動作に連動して、前記棒状の部材が長手方向に動作して、前記操作部がＯＦＦ側からＯＮ側へ変更されること、
を特徴とする構成例１に記載のスイッチ装置。
（構成例５）
前記第１の機構は、オペレータがＯＮ／ＯＦＦ操作する操作部と、前記スイッチの可動部および前記操作部を連結する棒状の部材と、を含み、
オペレータのＯＮ／ＯＦＦ操作に応じて、前記棒状の部材が長手方向に動作して、前記スイッチの可動部がＯＮ／ＯＦＦされ、
前記第２の機構による前記スイッチの可動部のＯＦＦ側からＯＮ側への動作に連動して、前記棒状の部材が長手方向に動作して、前記操作部がＯＦＦ側からＯＮ側へ変更され、
前記第３の機構による前記スイッチの可動部のＯＮ側からＯＦＦ側への動作に連動して、前記棒状の部材が長手方向に動作して、前記操作部がＯＮ側からＯＦＦ側へ変更されること、
を特徴とする構成例２または３に記載のスイッチ装置。
（構成例６）
前記第２の機構は、前記棒状の部材が長手方向に動作可能なように前記棒状の部材に連結されたソレノイドを含み、
前記ＯＮ制御手段は、前記ソレノイドに通電して前記棒状の部材を動作させることにより前記スイッチをＯＮすること、
を特徴とする構成例４または５に記載のスイッチ装置。
（構成例７）
前記ＯＮ制御手段は、前記ソレノイドの動作が完了したとき、または、前記ソレノイドの動作が完了すると予想されるときに、前記ソレノイドへの通電をＯＦＦ制御すること、  を特徴とする構成例６に記載のスイッチ装置。
（構成例８）
前記スイッチのＯＮ状態と前記スイッチのＯＦＦ状態の位置は、前記スイッチのクリック感で維持されること、
を特徴とする構成例７に記載のスイッチ装置。
（構成例９）
前記第３の機構は、前記棒状の部材が長手方向に動作可能なように前記棒状の部材に連結されたソレノイドを含み、
前記ＯＦＦ制御手段は、前記ソレノイドに通電して前記棒状の部材を動作させることにより前記スイッチをＯＦＦすること、
を特徴とする構成例４〜８のいずれか１つに記載のスイッチ装置。
（構成例１０）
前記ＯＦＦ制御手段は、前記ソレノイドの動作が完了したとき、または、前記ソレノイドの動作が完了すると予想されるときに、前記ソレノイドへの通電をＯＦＦ制御すること、
を特徴とする構成例９に記載のスイッチ装置。
（構成例１１）
前記スイッチのＯＮ状態と前記スイッチのＯＦＦ状態の位置は、前記スイッチのクリック感で維持されること、
を特徴とする構成例１０に記載のスイッチ装置。
（構成例１２）
前記スイッチは、通電により前記スイッチをＯＮ側からＯＦＦ側へ変更するコイルを含むリセット機能付きスイッチであり、
前記スイッチのＯＮ時に、前記スイッチをＯＦＦする時期を判断し、判断した時期に、前記コイルに通電することにより、前記スイッチをＯＦＦするＯＦＦ制御手段をさらに備えること、
を特徴とする構成例１に記載のスイッチ装置。
（構成例１３）
前記ＯＦＦ制御手段は、前記コイルへの通電による前記スイッチの動作が完了したとき、または、前記スイッチの動作が完了すると予想されるときに、前記コイルの通電をＯＦＦ制御すること、
を特徴とする構成例１２に記載のスイッチ装置。
（構成例１４）
前記スイッチのＯＮ状態と前記スイッチのＯＦＦ状態の位置は、前記スイッチのクリック感で維持されること、
を特徴とする構成例１３に記載のスイッチ装置。
（構成例１５）
前記ＯＮ制御手段は、前記蓄電手段から電源供給されるＣＰＵで構成され、
前記ＯＦＦ制御手段は、前記スイッチのＯＮ時に出力される直流から電源供給されるＣＰＵで構成されること、
を特徴とする構成例２〜構成例１４のスイッチ装置。
（構成例１６）
前記スイッチのＯＮからＯＦＦへの変更、および、ＯＦＦからＯＮへの変更による部品移動の位置エネルギーの変化が略ゼロであること、
を特徴とする構成例１〜１５に記載のスイッチ装置。
（構成例１７）
前記棒状の部材は略水平に配置されていること、
を特徴とする構成例４または５に記載のスイッチ装置。
（構成例１８）
前記ソレノイドの可動方向は略水平に配置されていること、
を特徴とする構成例６〜１１のいずれか１つに記載のスイッチ装置。
（構成例１９）
ＯＮ時に前記ＯＮ制御手段へ電源を供給し、ＯＦＦ時に前記ＯＮ制御手段への電源を遮断する切換手段をさらに備え、
前記ＯＦＦ制御手段は、制御開始後に前記切換手段をＯＦＦ制御し、前記スイッチのＯＦＦ制御を行う前に前記切換手段をＯＮ制御すること、
を特徴とする構成例２または３に記載のスイッチ装置。
（構成例２０）
ＯＮ時に前記ＯＮ制御手段へ電源を供給し、ＯＦＦ時に前記ＯＮ制御手段への電源を遮断する切換手段をさらに備え、
前記ＯＮ制御手段は、前記ＯＦＦ制御手段が制御開始したことを検知したときに、前記切換手段をＯＦＦ制御し、
前記ＯＦＦ制御手段は、前記スイッチのＯＦＦ制御を行う前に前記切換手段をＯＮ制御すること、
を特徴とする構成例１〜１９のいずれか１つに記載のスイッチ装置。
（構成例２１）
ＯＮ時に前記ＯＮ制御手段へ電源を供給し、ＯＦＦ時に前記ＯＮ制御手段への電源を遮断する切換手段をさらに備え、
前記ＯＮ制御手段は、前記ＯＦＦ制御手段に電源供給されたことを検知したときに、前記切換手段をＯＦＦ制御し、
前記ＯＦＦ制御手段は、前記スイッチのＯＦＦ制御を行う前に前記切換手段をＯＮ制御すること、
を特徴とする構成例１〜１９のいずれか１つに記載のスイッチ装置。
（構成例２２）
前記ＯＦＦ制御手段は、前記切換手段をＯＮ制御した後に、現在日時と次回ＯＮ制御予定条件の情報を前記ＯＮ制御手段へ伝送し、伝送後に前記スイッチのＯＦＦ制御を行うこと、
を特徴とする構成例１９〜２１のいずれか１つに記載のスイッチ装置。
（構成例２３）
前記ＯＮ制御手段において、前記スイッチをＯＮする時期を判断する条件は、前記スイッチのＯＦＦ→ＯＮの指示を検知した場合とすること、
を特徴とする構成例１〜構成例２２のいずれか１つに記載のスイッチ装置。
（構成例２４）
前記ＯＦＦ制御手段において、前記スイッチをＯＦＦする時期を判断する条件は、前記スイッチのＯＮ→ＯＦＦの指示を検知した場合とすること、
を特徴とする構成例２または３に記載のスイッチ装置。
（構成例２５）
前記スイッチ装置の周囲の音量を検知する音量検知部をさらに備え、
前記ＯＮ制御手段において、前記スイッチをＯＮする時期を判断する条件は、前記スイッチ装置の周囲の音量が所定の音量以上の状態が所定の時間以上継続した場合とすること、
を特徴とする構成例１〜構成例２２のいずれか１つに記載のスイッチ装置。
（構成例２６）
前記スイッチ装置の周囲の音量を検知する音量検知部をさらに備え、
前記ＯＦＦ制御手段において、前記スイッチをＯＦＦする時期を判断する条件は、前記スイッチ装置の周囲の音量が所定の音量以下の状態が所定の時間以上継続した場合とすること、
を特徴とする構成例２または３に記載のスイッチ装置。
（構成例２７）
前記スイッチ装置の周囲の人体の存在を検知する人体検知部をさらに備え、
前記ＯＮ制御手段において、前記スイッチをＯＮする時期を判断する条件は、前記スイッチ装置の周囲の人体の存在を検知した場合とすること、
を特徴とする構成例１〜構成例２２のいずれか１つに記載のスイッチ装置。
（構成例２８）
前記スイッチ装置の周囲の人体の存在を検知する人体検知部をさらに備え、
前記ＯＦＦ制御手段において、前記スイッチをＯＦＦする時期を判断する条件は、前記スイッチ装置の周囲の人体の存在を検知しなくなった状態が所定の時間以上継続した場合とすること、
を特徴とする構成例２または３に記載のスイッチ装置。
（構成例２９）
現在時刻を取得する現在時刻取得部をさらに備え、
前記ＯＮ制御手段において、前記スイッチをＯＮする時期を判断する条件は、前記現在時刻取得部によって取得した現在時刻が所定の時刻となった場合とすること、
を特徴とする構成例１〜構成例２２のいずれか１つに記載のスイッチ装置。
（構成例３０）
現在時刻を取得する現在時刻取得部をさらに備え、
前記ＯＦＦ制御手段において、前記スイッチをＯＦＦする時期を判断する条件は、前記現在時刻取得部によって取得した現在時刻が所定の時刻となった場合とすること、
を特徴とする構成例２または３に記載のスイッチ装置。
（構成例３１）
前記スイッチ装置が操作されていない時間または前記スイッチ装置が動作していない時間を認識する認識部をさらに備え、
前記ＯＦＦ制御手段において、前記スイッチをＯＦＦする時期を判断する条件は、前記認識部によって認識した、前記スイッチ装置が操作されていない時間または前記スイッチ装置が動作していない時間が所定の時間以上継続した場合とすること、
を特徴とする構成例２または３に記載のスイッチ装置。
（構成例３２）
前記スイッチ装置の操作または前記スイッチ装置の動作を検知する動作検知部と、
一定時間内における前記スイッチ装置の操作または前記スイッチ装置の動作の頻度を判断する判断部と、をさらに備え、
前記ＯＦＦ制御手段において、前記スイッチをＯＦＦする時期を判断する条件は、前記判断部によって判断した、前記頻度が所定の頻度以下となった場合とすること、
を特徴とする構成例２または３に記載のスイッチ装置。
【符号の説明】
【００７４】
１０、１０−２  電源スイッチ
１１  接点開路
１２  可動部
１３  操作部
１４  棒状の部材
１５  スイッチＯＮソレノイド
１６  スイッチＯＦＦソレノイド
１７、１７−２、１７−３、１７−４  機器制御部
１８、１８−２、１８−３、１８−４  電源スイッチＯＦＦ制御部
１９  各種装置・機器・機械等制御部
２０  ＤＣ５Ｖ変換電源
２１  キャパシタ
２２、２２−４、２２−５  電源スイッチＯＮ制御部
２３  ダイオード
２４−３  スイッチ
２００  画像形成装置・電気機器・医療機器・工作機械・自動車・輸送機器等
【先行技術文献】
【特許文献】
【００７５】
【特許文献１】特開２００２−８４９０号公報
【特許文献２】特開２００２−１５９１４３号公報
【図１】
0005741184.tif 000002
【図２】
0005741184.tif 000003
【図３】
0005741184.tif 000004
【図４】
0005741184.tif 000005
【図５】
0005741184.tif 000006
【図６】
0005741184.tif 000007
【図７】
0005741184.tif 000008
【図８】
0005741184.tif 000009
【図９】
0005741184.tif 000010
【図１０】
0005741184.tif 000011